(57)【要約】【課題】給水運転中に洗浄槽を筐体より引き出しても洗浄水が飛び出す事の無い食器洗い機を提供する。【解決手段】筐体５に出し入れ自在で上方に開口部１２ａを有し食器類を収容する洗浄槽１２と、洗浄水を給水する給水手段７と、前記給水手段７に連結され前記洗浄水を前記洗浄槽１２内に供給する給水口１３と、前記洗浄槽１２の側壁１２ｂに設けられ前記給水口１３から放出された前記洗浄水を反射する反射板１４を備えたもので、洗浄槽１２内に給水される水の向きを変えることにより、洗浄槽１２の前壁１２ｃでの水の飛散を防止することができるため、給水運転中に洗浄槽１２を引き出しても洗浄水が洗浄槽１２の開口部１２ａより機外へ飛び出して使用者に掛かるのを防止することができる。【選択図】図１
2006020918.tif 000002
【特許請求の範囲】
【請求項１】
筐体に出し入れ自在で上方に開口部を有し食器類を収容する洗浄槽と、洗浄水を給水する給水手段と、前記給水手段に連結され前記洗浄水を前記洗浄槽内に供給する給水口と、前記洗浄槽の内壁に設けられ前記給水口から放出された前記洗浄水を反射する反射板を備えたことを特徴とする食器洗い機。
【請求項２】
反射板を、給水口と前記給水口に対面する洗浄槽の内壁との間に配置した請求項１に記載の食器洗い機。
【請求項３】
反射板を、洗浄槽の所定の位置に向けて傾斜させた請求項１又は２に記載の食器洗い機。
【請求項４】
反射板を、洗浄槽の底面近傍から、少なくとも給水口と同じ高さまで連続して形成した請求項１〜３のいずれか１項に記載の食器洗い機。
【発明の詳細な説明】
【技術分野】
【０００１】
本発明は、筐体より洗浄槽を引き出して食器類を収容し、洗浄する食器洗い機に関するものである。
【背景技術】
【０００２】
従来、システムキッチンに組み込まれた状態で使用されるビルトイン型の食器洗い機は、前方に開閉可能な扉部を有する洗浄槽を筐体内に固定したものが主流であったが、近年、上方に開口部を有する洗浄槽を筐体より引き出して食器類を収容し、洗浄する食器洗い機が主流となっている（例えば、特許文献１参照）。
【０００３】
従来のこの種の食器洗い機について、図３、４を用いて説明する。
【０００４】
図３に示すように、洗浄槽１は、上方に開口部１ａを有し、食器類２を収容する食器かご３を配置している。洗浄槽１の下方には第１のレール４を固定しており、第１のレール４は、筐体５に固定した第２のレール６に前後方向へ平行移動可能に支持されている。食器類２の出し入れを行う際には洗浄槽１を前方へ引き出し、上方の開口部１ａより食器かご３に食器類２を収容する。
【０００５】
筺体５の後方の端部には、洗浄槽１内に給水するための給水手段７を設け、給水経路８を介して洗浄槽１の後方に設けた給水口９と連結されている。図４に示すように、給水手段７によって給水口９より給水された水は、給水口９に隣接した洗浄槽１の側壁に沿って洗浄槽１底面に溜められる。
【０００６】
洗浄槽１内に溜められた水はポンプ１０によって循環し、食器かご３の下方に回転自在に設けた洗浄ノズル１１より噴射して食器類２を洗浄する。また、給水中や洗浄中など食器洗い機が運転動作中に洗浄槽１を引き出そうとすると、筐体５内に設けた制御手段（図示せず）によって運転動作が停止され、機外に水が漏れるのを防止している。
【特許文献１】特開２００２−０６５５５１号公報
【発明の開示】
【発明が解決しようとする課題】
【０００７】
しかしながら、このような従来の構成では、洗浄槽１内に給水される水圧が高い場合に、洗浄槽１の側壁を沿って給水された水が、洗浄槽１内の前壁に当たる際、洗浄槽１の前方で水が飛散する。このような状態で給水運転中に洗浄槽１を引き出すと、制御手段（図示せず）によって給水動作は停止するが、図３内の矢印で示されるように飛散した水が洗浄槽１上方の開口部より機外へ飛び出して使用者に水が掛かる恐れがあった。
【０００８】
本発明は上記従来の課題を解決するもので、飛散した水が洗浄槽上方の開口部より機外へ飛び出して、使用者に掛かるのを防止することができる食器洗い機を提供することを目的としている。
【課題を解決するための手段】
【０００９】
前記従来の課題を解決するために、本発明の食器洗い機は、筐体に出し入れ自在で上方に開口部を有し食器類を収容する洗浄槽と、洗浄水を給水する給水手段と、前記給水手段に連結され前記洗浄水を前記洗浄槽内に供給する給水口と、前記洗浄槽の内壁に設けられ前記給水口から放出された前記洗浄水を反射する反射板を備えたもので、洗浄槽内に給水される水の向きが反射板で変えられ、洗浄槽の給水口と対面する内壁での水の飛散を防止することができるため、給水運転中に洗浄槽を引き出しても洗浄水が洗浄槽上方の開口部より機外へ飛び出して使用者に掛かるのを防止することができる。
【発明の効果】
【００１０】
本発明の食器洗い機は、給水運転中に洗浄槽を引き出しても、洗浄水が洗浄槽上方の開口部より機外へ飛び出して使用者に掛かるのを防止することができる。
【発明を実施するための最良の形態】
【００１１】
第１の発明は、筐体に出し入れ自在で上方に開口部を有し食器類を収容する洗浄槽と、洗浄水を給水する給水手段と、前記給水手段に連結され前記洗浄水を前記洗浄槽内に供給する給水口と、前記洗浄槽の内壁に設けられ前記給水口から放出された前記洗浄水を反射する反射板を備えたもので、洗浄槽内に給水される水の向きが反射板で変えられ、洗浄槽の給水口と対面する内壁での水の飛散を防止することができるため、給水運転中に洗浄槽を引き出しても洗浄水が洗浄槽上方の開口部より機外へ飛び出して使用者に掛かるのを防止することができる。
【００１２】
第２の発明は、特に、第１の発明の反射板を、給水口と前記給水口に対面する洗浄槽の内壁との間に配置したもので、洗浄槽内に給水される水の向きが反射板で変えられ、洗浄槽の給水口と対面する内壁での水の飛散を防止することができるため、給水運転中に洗浄槽を引き出しても洗浄水が洗浄槽上方の開口部より機外へ飛び出して使用者に掛かるのを防止することができる。
【００１３】
第３の発明は、特に、第１又は第２の発明の反射板を、洗浄槽の所定の位置に向けて傾斜させたもので、洗浄槽内に給水される水の向きを変えることにより、洗浄槽の内壁での水の飛散を防止することができるため、給水運転中に洗浄槽を引き出しても洗浄水が洗浄槽上方の開口部より機外へ飛び出して使用者に掛かるのを防止することができる。
【００１４】
第４の発明は、第１〜３のいずれか１つの発明の反射板を、洗浄槽の底面近傍から、少なくとも給水口と同じ高さまで連続して形成したもので、洗浄槽内に給水される水圧に関係なく反射板に洗浄水が当たり、水の向きを確実に変えることができる。
【００１５】
以下、本発明の実施の形態について、図面を参照しながら説明する。また、この実施の形態によって本発明が限定されるものではない。
【００１６】
（実施の形態１）
図１は、本発明の第１の実施の形態における食器洗い機の縦断面図、図２は同食器洗い機の横断面図である。なお、従来例と同一部分については同一符号を付してその説明を省略する。
【００１７】
図１において、洗浄槽１２は、上方に開口部１２ａを有し、内部に食器類２を収容する食器かご３を配置している。筺体５の後方の端部には洗浄槽１２内に給水するための給水手段７を設け、給水経路８を介して洗浄槽１２の後方に設けた給水口１３と連結されている。
【００１８】
洗浄槽１２の給水口１３に隣接した側壁１２ｂと前壁１２ｃの角部近傍には、洗浄槽１２の略中心部に向かって傾斜させた反射板１４を配し、さらにその反射板１４を洗浄槽１２の底面から給水口１３よりも高い位置まで連続して設けている。他の構成は従来例と同じである。
【００１９】
上記構成における食器洗い機の動作、作用を説明する。
【００２０】
図２に示すように、給水手段７によって給水口１３より給水された水は、給水口１３に隣接した洗浄槽１２の側壁１２ｂに沿って流れる。側壁１２ｂに沿って流れた水は洗浄槽１２の前壁１２ｃに当たる前に洗浄槽１２の側壁１２ｂと前壁１２ｃの角部近傍に設けた反射板１４によって反射する。反射板１４は洗浄槽１２の略中央に向かって角度がつけられているため、反射した水は洗浄槽１２の略中央に向かって飛散し洗浄槽１２の底部に溜められるので、洗浄槽１２の給水口１３と対面する前壁１２ｃで水が飛散することがなく、給水運転中に洗浄槽１２を引き出しても洗浄水が洗浄槽１２上方の開口部１２ａより機外へ飛び出して使用者に掛かるのを防止することができる。
【００２１】
以上のように、本実施の形態によれば、洗浄槽１２の内壁に反射板１４を設け、洗浄槽１２内に給水された水が反射板１４に接し、反射するように構成し、洗浄槽１２内に給水される水の向きを反射板１４で変えることにより、洗浄槽１２の給水口１３と対面する内壁での水の飛散を防止することができるため、給水運転中に洗浄槽１２を引き出しても洗浄水が洗浄槽１２上方の開口部１２ａより機外へ飛び出して使用者に掛かるのを防止することができる。
【００２２】
なお、本実施の形態では、洗浄槽１２の後方の端部に給水口１３を設け、反射板１４を洗浄槽１２の側壁１２ｂと前壁１２ｃの角部近傍に設けたが、給水口１３と給水口１３に対面した内壁との間に反射板１４を設けるようにすれば、反射板１４の位置にかかわらず同様の効果が得られるのは、云うまでもない。
【産業上の利用可能性】
【００２３】
以上のように、本発明にかかる食器洗い機は、上方に開口部を有する洗浄槽を筐体より引き出す食器洗い機において、給水運転中に洗浄槽を引き出した際の水の飛び出しを防止し、より安定した引き出し動作を行うことができるので、引き出し可能の洗浄槽を有する食器洗い機、洗浄装置等に広く適用できる。
【図面の簡単な説明】
【００２４】
【図１】本発明の実施の形態１における食器洗い機の縦断面図
【図２】同食器洗い機の横断面図
【図３】従来の食器洗い機の縦断面図
【図４】同食器洗い機の横断面図
【符号の説明】
【００２５】
２    食器類
５    筐体
７    給水手段
１２    洗浄槽
１２ａ  開口部
１２ｂ  側壁
１２ｃ  前壁
１３    給水口
１４    反射板
【図１】
2006020918.tif 000003
【図２】
2006020918.tif 000004
【図３】
2006020918.tif 000005
【図４】
2006020918.tif 000006